(57)【要約】【課題】スタンドラック１のポケットに収容された情報提供媒体の配布効果を高める。【解決手段】スタンドラック１のポケットＰ１〜Ｐ１２に対して赤外線反射センサＳ１〜Ｓ１２を設ける。ポケットＰ１〜Ｐ１２にＩＣタグＴ１〜Ｔ１２が取り付けられたパンフレットＰＦ１〜ＰＦ１２を収容する。スタンドラック１にＩＣタグ用のアンテナ７を設ける。通常はＬＣＤモニタ２に定められた順序で画像コンテンツを繰り返し表示する（ループ再生）。このループ再生中、例えば、ポケットＰ１からパンフレットＰＦ１が取り出されると、その取り出しをセンサＳ１によって検出し、パンフレットＰＦ１に関わる画像コンテンツをＬＣＤモニタ２に表示する（割り込み再生１）。また、パンフレットＰＦ１に取り付けられたＩＣタグＴ１がアンテナ７に近づけられると、パンフレットＰＦ１に関わるさらに詳細な画像コンテンツをＬＣＤモニタ２に表示する（割り込み再生２）。【選択図】図８
2010002883.tif 000002
【特許請求の範囲】
【請求項１】
情報提供媒体が収容される複数のポケットが設けられたスタンドラックと、前記スタンドラックに付設された画像表示装置と、前記ポケットから取り出される前記情報供給媒体に対応する画像コンテンツを前記画像表示装置の画面に表示する画像コンテンツ表示端末であって、
前記ポケット毎に設けられて、前記ポケットからの前記情報提供媒体の取り出しを検出するセンサと、
前記ポケット毎に割り当てられた第１の識別情報と対応づけて登録された画像コンテンツおよび前記ポケットの個数に合わせてその数が定められた第２の識別情報と対応づけて登録された画像コンテンツを記憶するメモリと、
前記情報提供媒体のそれぞれに取り付けられ、前記第２の識別情報が選択的に書き込まれた無線タグと、
前記無線タグの近接を検出し、当該無線タグに書き込まれている第２の識別情報をアンテナを介して読み出す情報読出装置と、
前記ポケットから取出される前記情報提供媒体に対応する画像コンテンツを前記画像表示装置の画面に表示させる処理装置を有し、
前記処理装置は、前記ポケットからの前記情報提供媒体の取り出しを前記センサが検出した場合、そのセンサが設けられているポケットに割り当てられている第１の識別情報に対応する画像コンテンツを前記メモリから読み出し、この読み出した画像コンテンツを前記画像表示装置の画面に表示する一方、前記情報読出装置によって前記無線タグから前記第２の識別情報が読み出された場合、その第２の識別情報に対応する画像コンテンツを前記メモリから読み出し、読み出した画像コンテンツを前記画像表示装置の画面に表示することを特徴とする画像コンテンツ表示端末。
【請求項２】
請求項１において、
前記処理装置は、
前記ポケットからの前記情報提供媒体の取り出しを前記センサの検出出力を取り込むセンサインタフェースを有し、前記センサインタフェースを介して前記情報提供媒体の取り出しが検出された場合は、対応するセンサが設けられているポケットに割り当てられている前記第１の識別情報に対応する画像コンテンツを前記画像表示装置の画面に表示する第１のＣＰＵと、
前記前記第１の識別情報に対応する画像コンテンツを前記メモリから読み出すと共に、前記情報読出装置によって前記無線タグから前記第２の識別情報が読み出された場合、対応する第２の識別情報に対応する画像コンテンツを前記メモリから読み出すメモリインタフェースと、前記メモリインタフェースを介して読み出した前記第１の識別情報に対応する画像コンテンツおよび前記第２の識別情報に対応する画像コンテンツを前記画像表示装置の画面に表示するモニタインタフェースを有する第２のＣＰＵとを備え、
前記メモリインタフェースを介して読み出した画像コンテンツを、前記モニタインタフェースを介して前記画像表示装置の画面に表示することを特徴とする画像コンテンツ表示端末。
【請求項３】
請求項１又は２において、
前記処理装置の前記メモリには、前記ポケット毎に割り当てられた第１の識別情報と対応づけられて登録された画像コンテンツを定められた再生手順に従ってループ再生を行う再生順設定情報と、前記第１の識別情報と対応づけられて登録された画像コンテンツのファイル名と、前記第２の識別情報に対応づけされて登録された画像コンテンツのファイル名と、前記第１の識別情報と前記第２の識別情報に対応するコンテンツ情報が記憶されていることを特徴とする画像コンテンツ表示端末。
【請求項４】
請求項１または２において、
前記センサは、前記情報提供媒体に照射した光の当該情報提供媒体からの反射光から、前記ポケットからの前記情報提供媒体の取り出しを検出する非接触センサであることを特徴とする画像コンテンツ表示端末。
【請求項５】
請求項１又は２において、
前記アンテナは、前記スタンドラック又はその近傍の１箇所に設けられていることを特徴とする画像コンテンツ表示端末。
【請求項６】
請求項１又は２において、
前記アンテナは、前記スタンドラックの前記ポケット毎に設けられていることを特徴とする画像コンテンツ表示端末。
【請求項７】
請求項１又は２において、
前記処理装置は、ネットワークとの接続手段を備えることを特徴とする画像コンテンツ表示端末。
【請求項８】
請求項１乃至３の何れかにおいて、
前記メモリは、前記第１の画像コンテンツ又は前記第２の画像コンテンツを格納した１又は複数のＵＳＢメモリを含み、前記第１の画像コンテンツ又は前記第２の画像コンテンツを格納した１又は複数のＵＳＢメモリ、又は別のＵＳＢメモリに前記第１の画像コンテンツの再生順設定情報を格納したことを特徴とする画像コンテンツ表示端末。
【発明の詳細な説明】
【技術分野】
【０００１】
この発明は、旅行代理店やストアなどの店舗の店頭に設置したスタンドラックに収容されている情報提供媒体に関連する画像コンテンツを当該情報提供媒体を取出した者に提供する画像コンテンツ表示端末に関するものである。
【背景技術】
【０００２】
従来より、旅行代理店やストアなどの店舗の店頭には、パンフレットやカタログが収容される複数のポケットが設けられたスタンドラックが設置されている。店舗への来客者や通行人は、このスタンドラックのポケットに収容されたパンフレットやカタログを自由に取り出して、持ち帰ることができる。
【０００３】
しかしながら、スタンドラックのポケットにパンフレットやカタログをただ収納して並べているだけでは、店舗への来客者や通行人の興味や関心を引くことができない。そこで、スタンドラックにＬＣＤモニタなどの画像表示装置を付設し、この画像表示装置の画面にポケットに収容されているパンフレットやカタログの広告映像を表示するようにした複合広告装置が例えば特許文献１に示されているように既知である。
【０００４】
【特許文献１】特開平６−８９０７６号公報
【発明の開示】
【発明が解決しようとする課題】
【０００５】
しかしながら、この特許文献１に示された複合広告装置では、広告映像を画像表示装置の画面に表示することによって来客者や通行人の興味や関心を引くことが可能ではあるが、ポケットに収容されているパンフレットやカタログとその画像表示装置に表示されている広告映像との関係をすぐには知ることができない。
【０００６】
例えば、ポケットに収容されているパンフレットやカタログの広告映像を画面に順番に繰り返して表示する表示方式（ループ再生）とした場合（通常はこのような表示方式をとることが多い）、画面に表示されている今の映像がどのポケットに収容されているパンフレットやカタログの広告映像に関連するものかをすぐには判断することができない。
【０００７】
このため、来客者や通行人は、画面に表示される広告映像に興味や関心を示すものの、どのポケットに収容されているパンフレットやカタログと対応するのかが分からず、探すのが面倒となって、そのパンフレットやカタログをスタンドラックのポケットから取り出そうとはしない。
【０００８】
また、ポケットに収容されているパンフレットやカタログに興味を示して取り出したとしても、そのパンフレットやカタログの広告映像が画面に表示されるまで待たなければならず、待つのが面倒となって、すぐに立ち去ってしまうことが多い。
【０００９】
このように、従来の複合広告装置では、スタンドラックに付設された画像表示装置の画面に広告映像を表示はしているが、そのパンフレットやカタログの配布効果は今一つであった。
【００１０】
本発明は、このような課題を解決するためになされたもので、その目的とするところは、スタンドラックのポケットに収容されたカタログやパンフレットなどの情報提供媒体の配布効果を高めることができる画像コンテンツ表示端末を提供することにある。
【課題を解決するための手段】
【００１１】
このような目的を達成するために、本発明は、情報提供媒体が収容される複数のポケットが設けられたスタンドラックと、このスタンドラックに付設された画像表示装置と、スタンドラックのポケット毎に設けられそのポケットからの情報提供媒体の取り出しを検出するセンサと、スタンドラックのポケット毎に割り当てられた識別情報と対応づけて登録された画像コンテンツを記憶するメモリと、ポケットからの情報提供媒体の取り出しをセンサが検出した場合、そのセンサが設けられているポケットに割り当てられている識別情報に対応する画像コンテンツをメモリから読み出し、この読み出した画像コンテンツを画像表示装置の画面に表示する処理装置とを設けたものである。
【００１２】
この発明において、スタンドラックの各ポケットには、そのポケットからのカタログやパンフレットなどの情報提供媒体の取り出しを検出するセンサが設けられている。例えば、スタンドラックのポケットとしてポケットＰ１〜Ｐｎが設けられているものとした場合、ポケットＰ１〜Ｐｎに対応してセンサＳ１〜Ｓｎが設けられている。
【００１３】
また、この発明において、メモリには、スタンドラックのポケット毎に割り当てられた識別情報と対応づけて登録された画像コンテンツが記憶されている。例えば、ポケットＰ１〜Ｐｎに設けられたセンサＳ１〜Ｓｎの設置位置の番号を識別情報＃Ｓ１〜＃Ｓｎとした場合、この識別情報＃Ｓ１〜＃Ｓｎと対応づけて画像コンテンツＧＳ１〜ＧＳｎが格納（登録・記憶）されている。なお、画像コンテンツを画像表示装置に表示する際に、システムにオーディオ再生装置を付加し、関連する音声／音楽も同時に出力することもできる。以下では、音声／音楽の提供については特に記述しないが、必要に応じて画像コンテンツの表示と共に、関連する音声／音楽も同時に出力できるようにすることも含むものと理解すべきである。
【００１４】
この発明では、基本的に、識別情報＃Ｓ１と対応づけてその画像コンテンツＧＳ１を登録した情報提供媒体をポケットＰ１に、識別情報＃Ｓ２と対応づけてその画像コンテンツＧＳ２を登録した情報提供媒体をポケットＰ２にというようにして、ｎ種類の情報提供媒体を定められたポケットＰ１〜Ｐｎに種分けして収容させておく。
【００１５】
ここで、例えば、ポケットＰ１からの情報提供媒体の取り出しがセンサＳ１によって検出されると、そのセンサＳ１の設置位置の番号を示す識別情報＃Ｓ１に対応する画像コンテンツＧＳ１がメモリから読み出され、この読み出された画像コンテンツＧＳ１が画面に表示される。これにより、ポケットＰ１から情報提供媒体を取り出すと、すぐにその情報提供媒体に関わる画像コンテンツＧＳ１（ポケットＰ１に対して登録されている画像コンテンツＧＳ１）がユーザに提供される。
【００１６】
また、本発明は、情報提供媒体が収容される複数のポケットが設けられたスタンドラックと、このスタンドラックに付設された画像表示装置と、スタンドラックのポケット毎に設けられそのポケットからの情報提供媒体の取り出しを検出するセンサと、スタンドラックのポケット毎に割り当てられた第１の識別情報と対応づけて登録された画像コンテンツおよびスタンドラックのポケットの個数に合わせてその数が定められた第２の識別情報と対応づけて登録された画像コンテンツを記憶するメモリと、第２の識別情報が選択的に書き込まれた複数の無線タグ（ＲＦＩＤ、ＩＣタグ）と、情報提供媒体に取り付けられた無線タグの近接を検出しその無線タグに書き込まれている第２の識別情報を自己に接続されたアンテナを介して読み出す情報読出装置と、ポケットからの情報提供媒体の取り出しをセンサが検出した場合、そのセンサが設けられているポケットに割り当てられている第１の識別情報に対応する画像コンテンツをメモリから読み出し、この読み出した画像コンテンツを画像表示装置の画面に表示する一方、情報読出装置によって無線タグから第２の識別情報が読み出された場合、その第２の識別情報に対応する画像コンテンツをメモリから読み出し、この読み出した画像コンテンツを画像表示装置の画面に表示する処理装置とを設けたものである。
【００１７】
この発明において、スタンドラックの各ポケットには、そのポケットからのカタログやパンフレットなどの情報提供媒体の取り出しを検出するセンサが設けられている。例えば、スタンドラックのポケットとしてポケットＰ１〜Ｐｎが設けられているものとした場合、ポケットＰ１〜Ｐｎに対応してセンサＳ１〜Ｓｎが設けられている。
【００１８】
また、この発明において、メモリには、スタンドラックのポケット毎に割り当てられた第１の識別情報と対応づけて登録された画像コンテンツおよびスタンドラックのポケットの個数に合わせてその数が定められた第２の識別情報と対応づけて登録された画像コンテンツが記憶されている。また、情報提供媒体に取り付けられる複数の無線タグには、第２の識別情報が選択的に書き込まれている。
【００１９】
例えば、図１のポケットＰ１〜Ｐｎに設けられたセンサＳ１〜Ｓｎの設置位置の番号を第１の識別情報＃Ｓ１〜＃Ｓｎとした場合、この第１の識別情報＃Ｓ１〜＃Ｓｎと対応付けて画像コンテンツＧＳ１〜ＧＳｎが登録・記憶されている。また、ポケットの個数をｎ個とした場合、このポケットの個数に合わせて第２の識別情報＃Ｔ１〜＃Ｔｎが定められ、この第２の識別情報＃Ｔ１〜＃Ｔｎと対応づけて画像コンテンツＧＲ１〜ＧＲｎが登録・記憶されている。また、複数の無線タグに第２の識別情報＃Ｔ１〜＃Ｔｎが選択的に書き込まれ、この第２の識別情報＃Ｔ１〜＃Ｔｎが書き込まれた無線タグＴ１〜Ｔｎが情報提供媒体に取り付けられている。
【００２０】
この発明では、基本的に、識別情報＃Ｓ１と対応づけてその画像コンテンツＧＳ１を登録した情報提供媒体に無線タグＴ１を取り付け、識別情報＃Ｓ２と対応づけてその画像コンテンツＧＳ２を登録した情報提供媒体に無線タグＴ２を取り付け、無線タグＴ１が取り付けられた情報提供媒体をポケットＰ１に、無線タグＴ２が取り付けられた情報提供媒体をポケットＰ２にというようにして、ｎ種類の情報提供媒体を定められたポケットＰ１〜Ｐｎに種分けして収容させておく。
【００２１】
ここで、例えば、ポケットＰ１からの情報提供媒体の取り出しがセンサＳ１によって検出されると、そのセンサＳ１の設置位置の番号を示す識別情報＃Ｓ１に対応する画像コンテンツＧＳ１がメモリから読み出され、この読み出された画像コンテンツＧＳ１が画面に表示される。これにより、ポケットＰ１から情報提供媒体を取り出すと、すぐにその情報提供媒体に関わる画像コンテンツＧＳ１（ポケットＰ１に対して登録されている画像コンテンツＧＳ１）がユーザに提供される。
【００２２】
また、ポケットＰ１から取り出した情報提供媒体に取り付けられている無線タグＴ１を情報読出装置のアンテナに近づけると、この無線タグＴ１に書き込まれている識別情報＃Ｔ１が読み出され、この読み出された識別情報＃Ｔ１に対応する画像コンテンツＧＲ１がメモリから読み出され、この読み出された画像コンテンツＧＲ１が画面に表示される。これにより、ポケットＰ１から情報提供媒体を取り出し、その情報提供媒体に取り付けられている無線タグＴ１を情報読出装置のアンテナに近づけると、すぐにその情報提供媒体に関わる画像コンテンツＧＲ１（無線タグＴ１に対して登録されている画像コンテンツＧＲ１）がユーザに提供される。
【００２３】
ここで、無線タグＴ１に対して登録する画像コンテンツＧＲ１はポケットＰ１に対して登録されている画像コンテンツＧＳ１と同じであってもよいが、ポケットＰ１に対して登録されている画像コンテンツＧＳ１よりもさらに詳細な画像コンテンツＧＲ１として登録しておけば、ポケットＰ１からの情報提供媒体の取り出し時にその情報提供媒体に関わる画像コンテンツＧＳ１の提供を受けた後、その情報提供媒体に取り付けられている無線タグＴ１を情報読出装置のアンテナに近づけることによって、その情報提供媒体に関わるさらに詳細な画像コンテンツＧＲ１の提供を受けることができるようになる。また、この画像コンテンツＧＲ１は、その情報提供媒体に取り付けられている無線タグＴ１を情報読出装置のアンテナに近づけることによって、いつでも何度でも表示させることができる。
【００２４】
この発明では、ユーザが行う行為として、ポケットから情報提供媒体を取り出し、この取り出した情報提供媒体を戻す際に取り出したポケットとは違うポケットへ戻すというようなことが考えられる。例えば、ポケットＰ１に、無線タグＴ１が取り付けられている情報提供媒体と無線タグＴ２が取り付けられている情報提供媒体とが混在していることになる。
【００２５】
このような場合、ポケットＰ１から無線タグＴ２が取り付けられている情報提供媒体を取り出すと、センサ１の検知でそのポケットＰ１に対して登録されている画像コンテンツＧＳ１（無線タグＴ１が取り付けられている情報提供媒体に関わる画像コンテンツＧＳ１）が画面に表示されてしまう。しかし、この場合、ユーザは、その情報提供媒体に取り付けられている無線タグＴ２を情報読出装置のアンテナに近づけることで、ポケットから取出した情報提供媒体に関わる正しい画像コンテンツＧＲ２の提供を受けることができる。
【００２６】
上述した発明では、スタンドラックのポケット毎にセンサを設ける構成としたが、ポケット毎のセンサを省略した構成とすることも考えられる。すなわち、ポケット毎のセンサを省略し、無線タグから識別情報を読み出す情報読出装置を設けるのみの構成とすることが考えられる。
【００２７】
上記した本発明において、情報提供媒体としては、カタログやパンフレットなどの他、ＣＤ−ＲＯＭやＤＶＤなどもその一例として挙げられる。また、本発明において、スタンドラックのポケット毎に設けるセンサとして、当該情報提供媒体から照射した光の反射光に基づいてポケットからの情報提供媒体の取り出しを検出する赤外線反射センサのような非接触センサを使用することができる。このような非接触センサとしては、必ずしも上記のような反射光タイプのものでなくてもよく、透過光タイプ、遮光タイプでもよい。また、ポケット毎に設けるセンサとして、ポケットからの情報提供媒体の取り出しを機械的な接点のオン／オフで検出するマイクロスイッチなどの接触型のセンサを使用してもよい。また、ポケットからの情報提供媒体の取り出しは、その情報提供媒体自体の動きだけではなく、その情報提供媒体を取り出そうとする手の動きを検出するものであってもよい。
【００２８】
また、本発明において、無線タグから識別情報を読み出す情報読出装置のアンテナは、複数箇所に設けるようにしてもよいが、スタンドラック又はその近傍の１箇所に設けるようにすると、低価格でシステムを構成することができる。また、本発明において、情報読出装置のアンテナを複数箇所に設ける場合、スタンドラックのポケット毎に設けるようにしてもよい。
【００２９】
また、本発明は、情報提供媒体が収容される複数のスペース（個別収納棚）が設けられた収納ラック（例えば、商品棚）と、この収納ラックに付設された画像表示装置と、収納ラックのスペース毎に設けられその各スペースからの情報提供媒体（この場合は、例えば、お菓子等の商品）の取り出しを検出するセンサと、収納ラックを構成する複数のスペース毎に割り当てられた識別情報と対応づけて登録された画像コンテンツを記憶するメモリと、スペースからの情報提供媒体の取り出しをセンサが検出した場合、そのセンサが設けられているスペースに割り当てられている識別情報に対応する画像コンテンツをメモリから読み出し、この読み出した画像コンテンツを画像表示装置の画面に表示する処理装置を備える構成とすることもできる。
【００３０】
また、本発明において、処理装置に、ネットワーク（例えば、インターネット、イーサネット（登録商標））との接続機能を設け、離れた場所に設置した複数の画像コンテンツ表示端末を集中的に制御し、情報提供媒体ごとの利用傾向データを吸い上げて、データの集計と情報提供媒体の入れ替えや交換に利用するように構成できる。
【発明の効果】
【００３１】
本発明によれば、スタンドラックのポケットから情報提供媒体を取り出すと、このポケットからの情報提供媒体の取り出しがセンサで検出され、そのセンサが設けられているポケットに割り当てられている第１の識別情報に対応する画像コンテンツがメモリから読み出され、この読み出された画像コンテンツが画像表示装置の画面に表示されるので、ポケットからの情報提供媒体の取出し時にその情報提供媒体に関わる画像コンテンツの提供を受けた後、その情報提供媒体に取り付けられている無線タグを情報読み出し装置のアンテナに近づけることによって、例えば、その情報提供媒体に係るさらに詳細な画像コンテンツ提供を受けることが可能となる。
【００３２】
また、ポケットから取り出した情報提供媒体に取り付けられている無線タグを情報読出装置のアンテナに近づけると、その無線タグに書き込まれている第２の識別情報が読み出され、この読み出された第２の識別情報に対応する画像コンテンツがメモリから読み出され、この読み出された画像コンテンツが画面に表示されるので、必要な時にいつでも何度でもその情報提供媒体に関わる画像コンテンツの提供を受けることが可能となり、ポケットに収容されたカタログやパンフレットなどの情報提供媒体の配布効果を高めることができるようになる。
【００３３】
本発明を画像コンテンツ表示端末の複数のスペース（個別収納棚）が設けられた収納ラック(商品棚)に取り付ける制御ボックスと一体化された画像表示装置を備えた画像表示端末としたものでは、利用者が特定のスペースから商品を取る行為（利用者の動き）あるいは商品の動き（スペースからの取出し）で、顧客は、購入しようとする商品の生産者、品質、原材料、添加物、賞味期限、その他品質に関わる情報を容易に入手でき、安心してその商品を購入することができる。
【発明を実施するための形態】
【００３４】
以下、本発明を実施するための形態を実施例の図面に基づいて詳細に説明する。先ず、本発明に係る画像コンテンツ表示端末の具体的な構成例を説明する前に、その基本例について説明する。
【実施例１】
【００３５】
図１は、本発明に係る画像表示端末の実施例１の外観図で、図１（ａ）は正面図、図１（ｂ）は側面図、図１（ｃ）は背面図である。
【００３６】
図１において、１はスタンドラック、２はこのスタンドラック１の上部に設けられた画像表示装置である。この例において、画像表示装置２はＬＣＤモニタ（液晶表示装置）としているが、プラズマディスプレイや有機ELディスプレイなど他のパネル状の表示装置を用いてもよい。以下では、画像表示装置２をＬＣＤモニタとして説明する。
【００３７】
スタンドラック１には、上下を多段（この例では、４段）に区画して、パンフレットやカタログなどの情報提供媒体が収容されるポケットが設けられている。この例では、１段目にポケットＰ１〜Ｐ３が、２段目にポケットＰ４〜Ｐ６が、３段目にポケットＰ７〜Ｐ９が、４段目にポケットＰ１０〜Ｐ２が設けられている。このポケットＰ１〜Ｐ１２は透明のプラスチックポケットとされている。したがって、ポケットＰ１〜Ｐ１２に収容されているパンフレットやカタログを取り出す前に、そのパンフレットやカタログ内の写真や文字などをポケットＰ１〜Ｐ１２の外側から視認することができる。
【００３８】
また、スタンドラック１には、そのポケットＰ１〜Ｐ１２からのパンフレットやカタログの取り出し口に、そのパンフレットやカタログの取り出しを検出するセンサとして、赤外線反射センサＳ１〜Ｓ１２が設けられている。この赤外線反射センサＳ１〜Ｓ１２は、赤外光の照射部と受光部とを備えており、照射した赤外光の反射光からポケットＰ１〜Ｐ１２からのパンフレットやカタログの取り出しを非接触で検出する。この赤外線反射センサについては図７で後述する。
【００３９】
この赤外線反射センサＳ１〜Ｓ１２は、常に赤外光を照射した状態にあり、その検出距離範囲内に赤外光を反射することが可能な物体が入った場合に「Ｌ」レベルの検知信号を出力する。赤外線反射センサＳ１〜Ｓ１２の検出距離範囲は２〜１０ｃｍ以内とされており、ポケットＰ１〜Ｐ１２にパンフレットやカタログが収容されている状態では、そのパンフレットやカタログが赤外線反射センサＳ１〜Ｓ１２の検出距離範囲内に入らないものとして、その取り付け位置が定められている。
【００４０】
スタンドラック１の背面にはその底面部に制御ボックス３が設けられている。制御ボックス３には、この画像コンテンツ表示端末１０１の全体の動作を制御する処理装置やメモリなどが収容されている。図２Ａは、この画像コンテンツ表示端末１０１の動作を制御する制御回路を収納した制御ボックス３の概略構成を説明する機能ブロック図である。図２Ｂは、図２Ａにおける制御回路を構成する処理装置４の第２のＣＰＵ４−２（ＣＰＵ２）の構成例を説明する機能ブロック図である。そして、図２Ｃは、図２Ａにおける制御回路を構成する処理装置４の第１のＣＰＵ４−１（ＣＰＵ１）の構成例を説明する機能ブロック図である。
【００４１】
図２Ａに示されたように、制御ボックス３には、第１のＣＰＵ４−１（ＣＰＵ１）、第２のＣＰＵ４−２（ＣＰＵ２）を含む処理装置４やハードディスク装置（ＨＤＤ）５、ＵＳＢメモリ６などで構成されたメモリ５２が設けられている。このメモリは、後述する第１の画像コンテンツ又は第２の画像コンテンツを格納した１又は複数のＵＳＢメモリを含み、前記第１の画像コンテンツ又は前記第２の画像コンテンツを格納した１又は複数のＵＳＢメモリ、又は別のＵＳＢメモリに前記第１の画像コンテンツの再生順設定情報を格納している。この装置構成において、処理装置４の第１のＣＰＵ４−１（ＣＰＵ１）は、自己のメモリ内に格納されているプログラムに従って、センサＳ１〜Ｓ１２からの入力信号およびリードライト装置８からの入力信号に対するデータ変換、電源（商用ＡＣ１００Ｖ）の制御、第２のＣＰＵ４−２（ＣＰＵ２）との通信制御を実行する。また、処理装置４の第２のＣＰＵ４−２（ＣＰＵ２）は、自己のメモリ内に格納されている画像コンテンツ再生プログラムや画像コンテンツの割り込み再生プログラムに従って、ＵＳＢメモリ６やＨＤＤ５で構成されるメモリ５２にアクセスし、画像コンテンツの再生処理や割り込み再生処理を実行する。
【００４２】
図２Ｂに示すように、本実施例では、画像コンテンツの表示制御を主とする第２のＣＰＵ４−２（ＣＰＵ２）は、演算部４２１とＲＯＭ４２２を有し、さらにＲＡＭ４３、画像表示装置インタフェース（モニタＩ／Ｆ）、メモリＩ／Ｆ４４(ＵＳＢＩ／Ｆ、ＨＤＤＩ／Ｆ)、通信Ｉ／Ｆ４８を構成要素として有している。なお、ＲＡＭ４３は、キャッシュメモリとしても機能する。
【００４３】
また、図２Ｃに示すように、第１のＣＰＵ４−１（ＣＰＵ１）は演算部４２１とＲＯＭ４２２を有し、さらにセンサＩ／Ｆ４９、ＲＡＭ５０、通信Ｉ／Ｆ５１を有している。ＲＡＭ５０は、キャッシュメモリとしても機能する。なお、ＲＯＭ４１２とＲＯＭ４２２には、診断プログラムとプロセス移管プログラムが格納されており、一方のＣＰＵに異常が発生した場合に、その機能を他方に移管することで、システムのダウンをカバーするようになっている。
【００４４】
第２のＣＰＵ４−２（ＣＰＵ２）のキャッシュメモリ機能としては、動作処理の２次キャッシュと画像グラフィック処理を主とする。第１のＣＰＵ４−１（ＣＰＵ１）のキャッシュメモリ機能としては、センサの動作管理を主とする。
【００４５】
上記したように、処理装置４には、第１のＣＰＵ４−１（ＣＰＵ１）の周辺機能として、センサインタフェース（センサＩ／Ｆ）４９が備えられている。また、第２のＣＰＵ４−２（ＣＰＵ２）の周辺機能として、メモリＩ／Ｆ４４（ＵＳＢメモリインタフェース（ＵＳＢＩ／Ｆ）４５とＨＤＤインタフェース（ＨＤＤｉ／Ｆ）４６）、モニタインタフェース（モニタＩ／Ｆ）４７、通信インタフェース（通信Ｉ／Ｆ）４８が設けられている。
【００４６】
第２のＣＰＵ４−２（ＣＰＵ２）と第１のＣＰＵ４−１（ＣＰＵ１）は、通信インタフェース（通信Ｉ／Ｆ）４８、５１で接続されており、互いに係るデータの通信を行っている。これにより、多湿な環境、寒暖の差が激しい環境、鉄道車両やバスなどの振動する環境にも対応できる。なお、ＵＳＢメモリインタフェース（ＵＳＢＩ／Ｆ）４５に接続されたＵＳＢメモリ６に対し、機能の不具合が発生した場合は状態が記録され、修理に役立てることができる。しかし、本発明は単一ＣＰＵで構成される処理装置を排除するものではない。
【００４７】
ＵＳＢメモリ６には、図３にその対応関係をテーブルＴＢ１として示すように、スタンドラック１のポケットＰ１〜Ｐ１２に設けられたセンサＳ１〜Ｓ１２の設置位置の番号を識別情報＃Ｓ１〜＃Ｓ１２とし、この識別情報＃Ｓ１〜＃Ｓ１２と対応づけて画像コンテンツＧＳ１〜ＧＳ１２が登録・記憶されている。なお、この例では、画像コンテンツＧＳ１〜ＧＳ１２と合わせて、識別情報＃Ｓ１〜＃Ｓ１２との対応関係を示すテーブルＴＢ１もＵＳＢメモリ６に記憶されているものとする。
【００４８】
この例では、ポケットＰ１〜Ｐ１２に収容する情報提供媒体をパンフレットＰＦ１〜ＰＦ１２として定め、このパンフレットＰＦ１〜ＰＦ１２に関わる画像コンテンツＧＳ１〜ＧＳ１２を識別情報＃Ｓ１〜＃Ｓ１２と対応づけてＵＳＢメモリ６に登録・記憶している。この画像コンテンツＧＳ１〜ＧＳ１２には、画像情報だけではなく、音声情報なども含まれている。また、パンフレットＰＦ１〜ＰＦ１２は、その種類が異なるものである。
【００４９】
また、ＵＳＢメモリ６には、さらにループ再生を行う画像コンテンツとその再生順序との対応関係を示すテーブルＴＢ２が記憶されている。図４にそのテーブルＴＢ２の一例を示す。このテーブルＴＢ２において、Ｇ１〜Ｇ１０はＵＳＢメモリ６に登録・記憶されている各種の広告用の画像コンテンツであり、この広告用の画像コンテンツＧ１〜Ｇ１０に続いて、パンフレットＰＦ１〜ＰＦ１２に関わる画像コンテンツＧＳ１〜ＧＳ１２の再生順序が定められている。ＵＳＢメモリ６のテーブルＴＢ１、テーブルＴＢ２の内容はポケットＰ１〜Ｐ１２に収容する情報提供媒体の変更、入れ替えに応じて書き換え可能である。以下に、実施例１に係る画像コンテンツ表示端末の運用について説明する。
【００５０】
〔パンフレットの収容〕
この画像コンテンツ表示端末１０１の運用に際しては、その画像コンテンツＧＳ１を識別情報＃Ｓ１と対応づけて登録したパンフレットＰＦ１をポケットＰ１に、その画像コンテンツＧＳ２を識別情報＃Ｓ２と対応づけて登録したパンフレットＰＦ２をポケットＰ２にというようにして、定められたポケットＰ１〜Ｐ１２にパンフレットＰＦ１〜ＰＦ１２を種分けして収容させておく（図５参照）。
【００５１】
〔ループ再生〕
処理装置４の第１のＣＰＵ４−１（ＣＰＵ１）は、通常の処理動作として、ＵＳＢメモリ６内のテーブルＴＢ２に定められた再生順序に従ってループ再生を行う。すなわち、テーブルＴＢ２に定められた再生順序に従って、先ず画像コンテンツＧ１を読み出し、この画像コンテンツＧ１をＬＣＤモニタ２の画面に表示する。そして、この画像コンテンツＧ１の表示を終えた後、次の画像コンテンツとして画像コンテンツＧ２を読み出し、この画像コンテンツＧ２をＬＣＤモニタ２の画面に表示する。以下、同様にして、画像コンテンツＧ３〜Ｇ１０、画像コンテンツＧＳ１〜ＧＳ１２をＬＣＤモニタ２の画面に表示して行き、最初の画像コンテンツＧ１の表示に戻る（図６（ａ）参照）。
【００５２】
〔割り込み再生〕
このようなループ再生中、店舗への来客者や通行人（以下、顧客）が興味や関心を示し、スタンドラック１の例えばポケットＰ１にアクセスして、そこからパンフレットＰＦ１を取り出したとする。図７Ａは、赤外線センサＳ１の動作説明図であり、図７Ｂはその出力波形と検出レベルの説明図である。
【００５３】
この場合、図７Ａに示すように、赤外線反射センサＳ１の放射部Ｗ１から照射されている赤外光がパンフレットＰＦ１の紙面で反射し、その反射光が赤外線反射センサＳ１の受光部（Ｗ２）で受光される。これにより、赤外線反射センサＳ１から図７Ｂに示した波形の出力が得られる。
【００５４】
図７Ｂにおいて、〜時刻“ｔ１”はポケットＰ１へのアクセスが未だ無い期間で、赤外線センサＳ１は「Ｌ」レベルを出力している。時刻“ｔ１”で顧客がポケットＰ１に手を伸ばし、パンフレットＲＦ１を引き出して、時刻“ｔ２”で赤外線がパンフレットＰＦ１の紙面を照射すると、その反射光が赤外線センサＳ１の受光部Ｗ２で受光される。この受光によるレベル変化は以下の通りである。時刻“ｔ１”から“ｔ２”までの期間Ｔ１は顧客の手の指による凹凸で反射した赤外線の変化を示す。時刻“ｔ２”で受光レベルが閾値ＬｔｈとＰ１で交差してレベル０側に超え、時刻“ｔ３”で受光レベルが再度閾値Ｌｔｈを境目としたＰ２で交差してＬ０側に戻る。このＰ１〜Ｐ２の期間Ｔ２は、顧客がポケットＰ１からパンフレットＰＦ１を引き出す速さに依存する。閾値ＬｔｈをＰ１とＰ２が交差したことに従って作成される検知信号がセンサＩ／Ｆ４４を通じて処理装置４へ送られる。
【００５５】
赤外線反射センサＳ１から検知信号が送られてくると、処理装置４の第１のＣＰＵ４−１（ＣＰＵ１）は、赤外線反射センサＳ１が設置されているポケットＰ１からパンフレットＰＦ１が取り出されたと判断し、ポケットＰ１に係るデータを第１のＣＰＵ４−２（ＣＰＵ２）へ通信Ｉ／Ｆ５１，４８を通じて送る。そして、第１のＣＰＵ４−１（ＣＰＵ１）は、赤外線反射センサＳ１の設置位置の番号である識別情報＃Ｓ１に従って、ＵＳＢメモリ６に記憶されているテーブルＴＢ１を参照して画像コンテンツＧＳ１を読み出し、ＬＣＤモニタ２の画面に表示する。
【００５６】
これにより、それまでの画像コンテンツのループ再生が中断され、画像コンテンツＧＳ１がＬＣＤモニタ２の画面に表示される。すなわち、それまでの画像コンテンツのループ再生が中断され、ポケットＰ１から取り出されたパンフレットＰＦ１に関わる画像コンテンツＧＳ１が再生される。
【００５７】
このようにして、ポケットＰ１からパンフレットＰＦ１を取り出すと、すぐにそのパンフレットＰＦ１に関わる画像コンテンツＧＳ１（ポケットＰ１に対して登録されている画像コンテンツＧＳ１）が割り込んで再生され、ユーザに提供される。
【００５８】
この場合の画像コンテンツＧＳ１の割り込み再生の様子を図６（ｂ）に示す。この例では、図６（ａ）に示した画像コンテンツＧ２のループ再生中に、ポケットＰ１からパンフレットＰＦ１が取り出されたことによって、画像コンテンツＧＳ１の割り込み再生が発生している。画像コンテンツＧＳ１の割り込み再生が終了すると、処理装置４のＣＰＵ４−１は、ループ再生に戻り、中断した画像コンテンツＧ２の再生を最初から始める。
【００５９】
以上説明したように、この実施例１の画像コンテンツ表示端末１０１によれば、定められたポケットＰ１〜Ｐ１２に種分けしてパンフレットＰＦ１〜ＰＦ１２を収容させておくことにより、そのポケットからのパンフレットの取り出し時に、すぐにそのパンフレットに関わる画像コンテンツをユーザへピンポイントで提供することができ、スタンドラックのポケットに収容された情報提供媒体の配布効果を高めることができる。
【実施例２】
【００６０】
図８に本発明に係る画像コンテンツ表示端末の実施例２の正面図を示す。この画像コンテンツ表示端末１０２では、実施例１の構成に加え、スタンドラック１の上部（ＬＣＤモニタ２の下部）に、前記したＲＦタグ（ＩＣタグ）用のアンテナ７を設けている。また、図９Ａは、本発明に係る画像表示端末の実施例２の制御回路の構成を説明する機能ブロック図である。図９Ｂは、図９Ａにおける制御回路を収納した制御ボックス３の処理装置４の第２のＣＰＵの構成を説明する機能ブロック図を示す。図９Ｃは、図９Ａにおける制御回路を収納した制御ボックス３の処理装置４の第１のＣＰＵの構成を説明する機能ブロック図を示す。図９Ａの処理装置４は、実施例１の処理装置４にアンテナから入力した信号をリードライト装置（情報読出装置、ＲＦＩＤＲ／Ｗ（Radio Frequency Identification Reader Writer））８を備えており、図９Ｃに示したように、第２のＣＰＵ４−２（ＣＰＵ２）と接続する通信Ｉ／Ｆ５１を有している。なお、実施例１と共通する構成の詳しい説明は繰り返さないことにする。
【００６１】
このＩＣタグ用のアンテナ７は、図９Ａに示すように、ＩＣタグ用のリードライト装置８に接続されており、このアンテナ７とリードライト装置８とによって実施例２でいう情報読出装置が構成されている。
【００６２】
また、この画像コンテンツ表示端末１０２では、スタンドラック１のポケットＰ１〜Ｐ１２に収容するパンフレットＰＦ１〜ＰＦ１２にＩＣタグＴ１〜Ｔ１２を取り付けている。すなわち、ポケットＰ１に収容するパンフレットＰＦ１の全てにＩＣタグＴ１を、ポケットＰ２に収容するパンフレットＰＦ２の全てにＩＣタグＴ２をというようにして、ポケットＰ１〜Ｐ１２に収容する全てのパンフレットＰＦ１〜ＰＦ１２にＩＣタグＴ１〜Ｔ１２を取り付けている。
【００６３】
ＩＣタグＴ１〜Ｔ１２は、同一のＩＣタグであるが、そのユーザエリアに書き込まれている識別情報が異なっている。この例では、スタンドラック１に設けられたポケットの個数ｎ（ｎ＝１２）に合わせて識別情報＃Ｔ１〜＃Ｔ１２を定め、この識別情報＃Ｔ１〜＃Ｔ１２をＩＣタグＴ１〜Ｔ１２に書き込んでいる。すなわち、ＩＣタグＴ１に識別情報＃Ｔ１を、ＩＣタグＴ２に識別情報＃Ｔ２をというようにして、ＩＣタグＴ１〜Ｔ１２に識別情報＃Ｔ１〜＃Ｔ１２を書き込んでいる。
【００６４】
また、この画像コンテンツ表示端末１０２では、メモリ５２のＵＳＢメモリ６に、図１０にその対応関係をテーブルＴＢ３として示すように、ＩＣタグＴ１〜Ｔ１２に書き込む識別情報＃Ｔ１〜＃Ｔ１２と対応づけて、ポケットＰ１〜Ｐ１２に収容するパンフレットＰＦ１〜ＰＦ１２に関わる画像コンテンツＧＲ１〜ＧＲ１２を登録・記憶させている。
【００６５】
この画像コンテンツＧＲ１〜ＧＲ１２は、画像コンテンツＧＳ１〜ＧＳ１２と同じパンフレットＰＦ１〜ＰＦ１２に関わるものであるが、画像コンテンツＧＳ１〜ＧＳ１２よりもさらに詳細な画像コンテンツとされている。なお、この例では、画像コンテンツＧＲ１〜ＧＲ１２と合わせて、識別情報＃Ｔ１〜＃Ｔ１２との対応関係を示すテーブルＴＢ３もＵＳＢメモリ６に記憶されているものとする。
【００６６】
また、ＵＳＢメモリ６には、ループ再生を行う画像コンテンツとその再生順序との対応関係を示すテーブルＴＢ４（図１１参照）が記憶されている。このテーブルＴＢ４において、Ｇ１〜Ｇ１０はＵＳＢメモリ６に登録・記憶されている各種の広告用の画像コンテンツであり、この広告用の画像コンテンツＧ１〜Ｇ１０に続いて、パンフレットＰＦ１〜ＰＦ１２に関わる画像コンテンツＧＳ１〜ＧＳ１２の再生順序、パンフレットＰＦ１〜ＰＦ１２に関わる画像コンテンツＧＲ１〜ＧＲ１２の再生順序が定められている。ＵＳＢメモリ６のテーブルＴＢ１、テーブルＴＢ２の内容はポケットＰ１〜Ｐ１２に収容する情報提供媒体の変更、入れ替えに応じて書き換え可能であることは実施例１と同様である。また、処理装置４の構成とその基本的な動作も情報読出装置を除いて実施例１と同様である。以下に、本実施例に係る画像コンテンツ表示端末の運用例について説明する。
【００６７】
〔パンフレットの収容〕
この画像コンテンツ表示端末１０２の運用に際しては、ＩＣタグＴ１が取り付けられているパンフレットＰＦ１をポケットＰ１に、ＩＣタグＴ２が取り付けられているパンフレットＰＦ２をポケットＰ２にというようにして、ＩＣタグＴ１〜Ｔ１２が取り付けられているパンフレットＰＦ１〜ＰＦ１２を定められたポケットＰ１〜Ｐ１２に種分けして収容させておく。
【００６８】
〔ループ再生〕
処理装置４の第１のＣＰＵ４−１（ＣＰＵ１）は、通常の処理動作として、ＵＳＢメモリ６内のテーブルＴＢ４に定められた再生順序に従って、実施例１で説明したと同様にしてループ再生を行う（図１２（ａ）参照）。
【００６９】
〔割り込み再生１：パンフレットをポケットから取り出した場合〕
このようなループ再生中、店舗への来客者や通行人が興味や関心を示し、スタンドラック１の例えばポケットＰ１からパンフレットＰＦ１を取り出したとする。すると、実施例１と同様にして、赤外線反射センサＳ１から検知信号が処理装置４へ送られる。
【００７０】
赤外線センサＳ１の構成と動作は、実施例１の図７Ａと図７Ｂの説明と同様である。赤外線反射センサＳ１から検地信号が送られてくると、処理装置４の第１のＣＰＵ４−１（ＣＰＵ１）は、赤外線反射センサＳ１が設置されているポケットＰ１からパンフレットＰＦ１が取り出されたと判断し、ポケットＰ１に係るデータを第２のＣＰＵ４−２（ＣＰＵ２）へ通信Ｉ／Ｆ５１から通信Ｉ／Ｆ４８を通して送る。そして、第２のＣＰＵ４−２（ＣＰＵ２）は赤外線反射センサＳ１の設置位置の番号である識別情報＃Ｓ１に従って、ＵＳＢメモリ６に記憶されているテーブルＴＢ１を参照して画像コンテンツＧＳ１を読み出し、ＬＣＤモニタ２の画面に表示する。
【００７１】
これにより、それまでの画像コンテンツのループ再生が中断され、ポケットＰ１から取り出されたパンフレットＰＦ１に関わる画像コンテンツＧＳ１が再生される（図１２（ｂ）参照）。このようにして、ポケットＰ１からパンフレットＰＦ１を取り出すと、すぐにパンフレットＰＦ１に関わる画像コンテンツＧＳ１（ポケットＰ１に対して登録されている画像コンテンツＧＳ１）が割り込んで再生され、ユーザに提供される。
【００７２】
〔割り込み再生２：パンフレットをアンテナに近づけた場合〕
この画像コンテンツ表示端末１０２において、ポケットＰ１からパンフレットＰＦ１を取り出したユーザは、その取り出したパンフレットＰＦ１に取り付けられているＩＣタグＴ１をＩＣタグ用のアンテナ７に近づけることによって、パンフレットＰＦ１に関わるさらに詳細な情報をＬＣＤモニタ２の画面に表示させることができる。
【００７３】
図１３にポケットＰ１から取り出したパンフレットＰＦ１に取り付けられているＩＣタグＴ１をＩＣタグ用のアンテナ７に近づけた状態を示す。ＩＣタグＴ１にはパターンアンテナＡＮＴ１が印刷されている。ＩＣタグ用のアンテナ７の基板上にはＩＣタグＴ１に印刷されたパターンアンテナＡＮＴ１と同調する特性を有するパターンアンテナＡＮＴ２が印刷されている。
【００７４】
この実施例においては、パターンアンテナＡＮＴ１とＡＮＴ２の同調周波数はＲＦＩＤ規格に従って１３．５６ＭＨｚとされている。ＩＣタグ用のアンテナ７は、同軸ケーブルを介してＩＣタグ用のリードライト装置８に接続されており、電磁波を常に放射している。また、ＩＣタグ用のアンテナ７の受信範囲は、そのアンテナの周囲環境や大きさ、放射する電磁波のレベル、ＩＣタグのアンテナ形状でも変わるが、周囲に金属物の干渉がない条件で約１０ｃｍ程度とされている。この画像コンテンツ表示端末１０２の正面の目立つ部分、或いはＬＣＤ画面に、「お手にとったパンフレットを「アンテナ」に近づけるとで、さらに詳しい情報を表示できます。」というようなキャッチコピーを表示することが望ましい。
【００７５】
ＩＣタグＴ１がＩＣタグ用のアンテナ７の受信範囲に入ると、ＩＣタグＴ１はＩＣタグ用のアンテナ７からの電磁波から生成される電力によって、すなわちＩＣタグ用のアンテナ７から非接触で供給される電力によって、その内部回路が起動する。ＩＣタグＴ１は、その内部回路の起動後、ＩＣタグ用のアンテナ７にその内部データを送信する。この送信する内部データには、そのユーザエリアに書き込まれている識別情報＃Ｔ１が含まれており、この識別情報＃Ｔ１を含む内部データを同調周波数の電磁波にのせてＩＣタグ用のアンテナ７に送信する。
【００７６】
ＩＣタグ用のアンテナ７で受信されたＩＣタグＴ１からの電磁波信号はＩＣタグ用のリードライト装置８に送られる。ＩＣタグ用のリードライト装置８は、ＩＣタグ用のアンテナ７からの電磁波信号をデジタルデータに変換し、通信Ｉ／Ｆ４８介して処理装置４へ送る。ＩＣタグを用いた情報の特定とそれに関連する処理は、現在広く様々な方式が知られており、本実施例はその何れかの方式を採用できるので、詳しい説明は省略するが、以下に典型的な方式の概略を説明する。
【００７７】
処理装置４の第１のＣＰＵ４−１（ＣＰＵ１）は、ＩＣタグ用のリードライト装置８から送られてくるデジタルデータを第２のＣＰＵ４−２（ＣＰＵ２が判断できるデータに変換し、第２のＣＰＵ４−２（ＣＰＵ２）へ送信する。第１のＣＰＵ４−１（ＣＰＵ１）は、第２のＣＰＵ４−２（ＣＰＵ２）からの変換されたデータを受けて、その変換されたデータに含まれている識別情報＃Ｔ１を抽出する。そして、この抽出した識別情報＃Ｔ１に従って、ＵＳＢメモリ６に記憶されているテーブルＴＢ３を参照して画像コンテンツＧＲ１を読み出し、ＬＣＤモニタ２の画面に表示する。
【００７８】
これにより、それまでの画像コンテンツのループ再生が中断され、ポケットＰ１から取り出されたパンフレットＰＦ１に関わる画像コンテンツＧＲ１が再生される。このようにして、パンフレットＰＦ１に取り付けられているＩＣタグＴ１をアンテナ７に近づけると、すぐにパンフレットＰＦ１に係るさらに詳細な画像コンテンツＧＲ１（ＩＣタグＴ１に対して登録されている画像コンテンツＧＲ１）が割り込んで再生され、ユーザに提供される。
【００７９】
図１４にこの場合の画像コンテンツＧＲ１の割り込み再生の様子を示す。この例では、画像コンテンツＧ２のループ再生中に、ポケットＰ１から取り出されたパンフレットＰＦ１がアンテナ７に近づけられたことによって、画像コンテンツＧＲ１の割り込み再生が発生している。画像コンテンツＧＲ１の割り込み再生が終了すると、処理装置４のＣＰＵ４−１は、ループ再生に戻り、中断した画像コンテンツＧ２の再生を最初から始める。
【００８０】
以上説明したように、この実施例２の画像コンテンツ表示端末１０２によれば、ポケットからのパンフレットの取り出し時にそのパンフレットに関わる画像コンテンツの提供を受けた後、そのパンフレットに取り付けられているＩＣタグをアンテナ７に近づけることによって、そのパンフレットに関わるさらに詳細な画像コンテンツの提供を受けることができ、また必要な時にいつでも何度でもそのパンフレットに関わる画像コンテンツの提供を受けることができ、スタンドラックのポケットに収容された情報提供媒体の配布効果を高めることができる。
【００８１】
この実施例２の画像コンテンツ表示端末１０２では、実施例１の画像コンテンツ表示端末１０１でも同じであるが、ユーザが行う行為として、ポケットからパンフレットを取り出し、この取り出したパンフレットを違うポケットへ戻すというようなことが考えられる。例えば、ポケットＰ１に、パンフレットＰＦ１とパンフレットＰＦ２とが混在しているというようなことが考えられる。このような場合、所望のパンフレットとしてパンフレットＰＦ２をポケットＰ１から取り出すと、そのポケットＰ１に対して登録されている画像コンテンツＧＳ１、すなわちパンフレットＰＦ１に関わる画像コンテンツＧＳ１がＬＣＤモニタ２の画面に表示されてしまう。
【００８２】
このような場合、実施例２の画像コンテンツ表示端末１０２では、パンフレットＰＦ２に取り付けられているＩＣタグＴ２をアンテナ７に近づけることによって、そのパンフレットＰＦ２に関わる正しい画像コンテンツＧＲ２の提供を受けることができる。このため、パンフレットＰＦ２が収容されているポケットＰ２を探し出して、そのポケットＰ２からパンフレットＰＦ２を再度取り出すというようなことを行う必要がない。
【００８３】
なお、この画像コンテンツ表示端末１０２では、画像コンテンツＧＲ１〜ＧＲ１２を画像コンテンツＧＳ１〜ＧＳ１２よりもさらに詳細な画像コンテンツとしたが、画像コンテンツＧＲ１〜ＧＲ１２と画像コンテンツＧＳ１〜ＧＳ１２とを同じとしてもよい。この場合、パンフレットに取り付けられたＩＣタグをアンテナ７に近づけることによって、再度同じ画像コンテンツの提供を受けることが可能となる。
【００８４】
また、この画像コンテンツ表示端末１０２では、画像コンテンツＧＳ１〜ＧＳ１２と画像コンテンツＧＲ１〜ＧＲ１２の両方をＵＳＢメモリ６に記憶させるようにしたが、画像コンテンツＧＳ１〜ＧＳ１２をＵＳＢメモリ６に記憶させ、画像コンテンツＧＲ１〜ＧＲ１２をＨＤＤ５に記憶させるようにしてもよい。
【００８５】
例えば、画像コンテンツＧＳ１〜ＧＳ１２は１５秒〜３０秒程度の短い画像コンテンツとされ、画像コンテンツＧＲ１〜ＧＲ１２は数分間の長い画像コンテンツとされる。一般に、ＵＳＢメモリ６は装置本体に容易に着脱できる比較的小容量のメモリとして用いるので、内容の書き換え、ループ再生順序の変更が容易であり、変更され得る情報や時間の短い画像コンテンツＧＳ１〜ＧＳ１２はＵＳＢメモリ６に、時間の長い画像コンテンツＧＲ１〜ＧＲ１２はＨＤＤ５に記憶させるようにするとよい。この場合、ＨＤＤ５とＵＳＢメモリ６とを合わせたものが本発明でいうメモリに相当する。しかし、メモリとしては既存の書き換え可能なものを採用できる。
【実施例３】
【００８６】
図１５に、本発明に係る画像コンテンツ表示端末の実施例３の正面図を示す。この画像コンテンツ表示端末１０３では、前記した実施例２の画像コンテンツ表示端末１０２（図８）において、ポケットＰ１〜Ｐ１２に対して個別に設けられていた赤外線反射センサＳ１〜Ｓ１２を省略した構成としている。
【００８７】
また、この赤外線反射センサＳ１〜Ｓ１２の省略に伴い、図３に示したテーブルＴＢ１もＵＳＢメモリ６から省略している。ＵＳＢメモリ６には、ループ再生を行う画像コンテンツとその再生順序との対応関係を示す再生順設定情報であるテーブルＴＢ５（図１６参照）を記憶させている。
【００８８】
なお、この実施例３において、画像コンテンツＧＲ１〜ＧＲ１２は、実施例１や２における画像コンテンツＧＳ１〜ＧＳ１２と同レベルの画像コンテンツであるものとする。図１７にこの画像コンテンツ表示端末１０３の装置構成の概略を示す。なお、制御ボックス３の処理装置の構成は図９ＢからセンサＩ／Ｆを取り去ったものとなる。以下、実施例３の動作を説明する。なお、前記実施例と共通する部分の詳しい説明は繰り返さないことにする。
【００８９】
〔パンフレットの収容〕
この画像コンテンツ表示端末１０３の運用に際しては、ＩＣタグＴ１が取り付けられたパンフレットＰＦ１をポケットＰ１に、ＩＣタグＴ２が取り付けられたパンフレットＰＦ２をポケットＰ２にというようにして、定められたポケットＰ１〜Ｐ１２にパンフレットＰＦ１〜ＰＦ１２を種分けして収容させておく。なお、このポケットＰ１〜Ｐ１２へのパンフレットＰＦ１〜ＰＦ１２の収容は、後述するようにラフでよい。
【００９０】
〔ループ再生〕
処理装置４の第２のＣＰＵ４−２（ＣＰＵ２）は、通常の処理動作として、ＵＳＢメモリ６内のテーブルＴＢ５に定められた再生順序に従って、実施例１で説明したと同様にしてループ再生を行う。
【００９１】
〔割り込み再生：パンフレットをポケットから取り出してアンテナに近づけた場合〕
このようなループ再生中、店舗への来客者や通行人が興味や関心を示し、スタンドラック１の例えばポケットＰ１からパンフレットＰＦ１を取り出したとする。この時点ではまだ割り込み再生は行われない。
【００９２】
ここで、ユーザは、パンフレットＰＦ１について、そのパンフレットＰＦ１に関わる情報をＬＣＤモニタ２の画面上で知りたい場合、そのパンフレットＰＦ１に取り付けられているＩＣタグＴ１をＩＣタグ用のアンテナ７に近づける。
【００９３】
すると、実施の形態２と同様にして、ＩＣタグＴ１のアンテナ７への近接が検出され、そのＩＣタグＴ１の内部データが読み出されて、リードライト装置８よりデジタルデータとして処理装置４へ送られる。
【００９４】
処理装置４の第１のＣＰＵ４−１（ＣＰＵ１）は、ＩＣタグ用のリードライト装置８から送られてくるデジタルデータを第２のＣＰＵ４−２（ＣＰＵ２）が判断できるデータに変換し、第２のＣＰＵ４−２（ＣＰＵ２）へ送信する。第２のＣＰＵ４−２（ＣＰＵ１）は、第１のＣＰＵ４−１（ＣＰＵ１）からの変換されたデータを受けて、その変換されたデータに含まれている識別情報＃Ｔ１を抽出する。そして、この抽出した識別情報＃Ｔ１に従って、ＵＳＢメモリ６に記憶されているテーブルＴＢ３を参照して画像コンテンツＧＲ１を読み出し、ＬＣＤモニタ２の画面に表示する。
【００９５】
これにより、それまでの画像コンテンツのループ再生が中断され、ポケットＰ１から取り出されたパンフレットＰＦ１に関わる画像コンテンツＧＲ１が再生される。このようにして、パンフレットＰＦ１に取り付けられているＩＣタグＴ１をアンテナ７に近づけると、すぐにパンフレットＰＦ１に関わる画像コンテンツＧＲ１（ＩＣタグＴ１に対して登録されている画像コンテンツＧＲ１）が割り込んで再生され、ユーザに提供される。
【００９６】
以上説明したように、この実施の形態３の画像コンテンツ表示端末１０３によれば、ポケットからパンフレットを取り出し、そのパンフレットに取り付けられているＩＣタグをアンテナ７に近づけることによって、そのパンフレットに関わる画像コンテンツの提供をすぐに受けることができ、また必要な時にいつでも何度でもそのパンフレットに関わる画像コンテンツの提供を受けることができ、また１つのポケットに複数種類のパンフレットが混在していてもそのポケットから取り出したパンフレットに関わる画像コンテンツの提供を確実に受けることができ、スタンドラックのポケットに収容された情報提供媒体の配布効果を高めることができる。
【実施例４】
【００９７】
図１８に本発明に係る画像コンテンツ表示端末の実施例４の正面図を示す。この画像コンテンツ表示端末１０４では、実施例３の画像コンテンツ表示端末１０３（図１５）において、ＩＣタグ用のアンテナ７に替えて複数のアンテナ７−１〜７−１２を設け、このアンテナ７−１〜７−１２をポケットＰ１〜Ｐ１２からのパンフレットの取り出し口に設置している。図１９にこの画像コンテンツ表示端末１０４の装置構成の概略を示す。図１９の制御ボックス３は、アンテナの数を複数とした以外、図１７と同じである。また、制御ボックス３の処理装置の構成は図９ＢからセンサＩ／Ｆを取り去ったものとなる。以下、実施例４の動作説明をする。
【００９８】
〔パンフレットの収容〕
この画像コンテンツ表示端末１０４の運用に際しても、ＩＣタグＴ１が取り付けられたパンフレットＰＦ１をポケットＰ１に、ＩＣタグＴ２が取り付けられたパンフレットＰＦ２をポケットＰ２にというようにして、定められたポケットＰ１〜Ｐ１２にパンフレットＰＦ１〜ＰＦ１２を種分けして収容させておく。このポケットＰ１〜Ｐ１２へのパンフレットＰＦ１〜ＰＦ１２の収容も、実施例３と同様、ラフでよい。
【００９９】
〔ループ再生〕
処理装置４の第２のＣＰＵ４−２（ＣＰＵ２）は、通常の処理動作として、ＵＳＢメモリ６内のテーブルＴＢ５に定められた再生順序に従って、実施例１と同様にしてループ再生を行う。
【０１００】
〔割り込み再生：パンフレットをポケットから取り出した場合〕
このようなループ再生中、店舗への来客者や通行人が興味や関心を示し、スタンドラック１の例えばポケットＰ１からパンフレットＰＦ１を取り出したとする。
【０１０１】
この場合、実施例２と同様にして、パンフレットＰＦ１に取り付けられているＩＣタグＴ１のアンテナ７−１への近接が検出され、そのＩＣタグＴ１の内部データが読み出されて、リードライト装置８よりデジタルデータとして処理装置４へ送られる。
【０１０２】
処理装置４の第１のＣＰＵ４−１（ＣＰＵ１）は、ＩＣタグ用のリードライト装置８から送られてくるデジタルデータを第２のＣＰＵ４−２（ＣＰＵ２）が判断できるデータに変換し、第２のＣＰＵ４−２（ＣＰＵ２）へ送信する。第２のＣＰＵ４−２（ＣＰＵ２）は、第１のＣＰＵ４−１（ＣＰＵ１）からの変換されたデータを受けて、その変換されたデータに含まれている識別情報＃Ｔ１を抽出する。そして、この抽出した識別情報＃Ｔ１に従って、ＵＳＢメモリ６に記憶されているテーブルＴＢ３を参照して画像コンテンツＧＲ１を読み出し、ＬＣＤモニタ２の画面に表示する。
【０１０３】
これにより、それまでの画像コンテンツのループ再生が中断され、ポケットＰ１から取り出されたパンフレットＰＦ１に関わる画像コンテンツＧＲ１が再生される。このようにして、ポケットＰ１からパンフレットＰＦ１を取り出すと、すぐにパンフレットＰＦ１に関わる画像コンテンツＧＲ１（ＩＣタグＴ１に対して登録されている画像コンテンツＧＲ１）が割り込んで再生され、ユーザに提供される。
【０１０４】
以上説明したように、この実施例４の画像コンテンツ表示端末１０４によれば、ポケットからのパンフレットの取り出し時に、そのパンフレットに取り付けられているＩＣタグに書き込まれている識別情報が読み出され、この読み出された識別情報に対応する画像コンテンツが画面に表示されるので、そのパンフレットに関わる画像コンテンツの提供をポケットからの取り出し時にすぐ受けることができ、また１つのポケットに複数種類のパンフレットが混在していてもそのポケットから取り出したパンフレットに関わる画像コンテンツの提供を確実に受けることができ、スタンドラックのポケットに収容された情報提供媒体の配布効果を高めることができる。
【０１０５】
実施例３の画像コンテンツ表示端末１０３や実施例４の画像コンテンツ表示端末１０４において、１つのポケットに複数種類のパンフレットが混在していてもそのポケットから取り出したパンフレットに関わる画像コンテンツの提供を確実に受けることができるということは、定められたポケットＰ１〜Ｐ１２にパンフレットＰＦ１〜ＰＦ１２が収容されていなくてもよいことを意味している。すなわち、実施例１の画像コンテンツ表示端末１０１と比較して、収容するパンフレットの種類管理を各ポケットに対してラフに行うことができることを意味している。
【０１０６】
なお、実施例４の画像コンテンツ表示端末１０４では、ＩＣタグ用のアンテナを全てのポケットに設置しなければならないので、周辺部品も含めてコストがかなりアップする。しかし、ポケットからパンフレットを取り出す毎にそのパンフレットに取り付けられたＩＣタグの識別情報を読み取るため、ポケットから取り出されたパンフレットの数をその種類も含めて確実に把握することができる。これにより、パンフレットの正確な残数管理を行ったり、ユーザの利用状況を正確に把握したりすることが可能となる。
【実施例５】
【０１０７】
図２０は、本発明に係る画像コンテンツ表示端末の配線構成を実施例５として説明するものである。画像コンテンツ表示端末１０５は、前記実施例２を適用したタイプであるが、前記した実施例の他の実施例、後述する実施例にも、センサ部分やアンテナ部分の構成を変えることで同様入力適用できる。図２０において図９Ａに示した装置構成における符号と同一符号は、同一或いは同等構成要素を示し、その説明は省略する。
【０１０８】
この画像コンテンツ表示端末１０５において、制御ボックス３には、処理装置４やメモリ５２（ハードディスク装置（ＨＤＤ）５、ＵＳＢメモリ６）、ＩＣタグ用のリードライト装置（ＲＦＩＤ Ｒ／Ｗ）８の他に、ＡＣインレット９、ブレーカ１０、ＡＣアウトレット１１、端子台１２、フィルタ１３、スイッチング電源１４、端子台１５、通信用のモジュラージャック１６などが設けられている。
【０１０９】
処理装置４は、その主要構成要素として、ＳＴＢ（セット・トップ・ボックス）４Ａと制御基板４Ｂとを備えている。ＡＣインレット９は商用電源（例えばＡＣ１００Ｖ、以下１００Ｖとして説明する）供給用の接続端子である。ブレーカ１０は、ＡＣ１００Ｖ用電流プロテクタであって、ＡＣ電源が接続された機器のショート等の不具合に対して過電流が流れ、機器破損を防止する。
【０１１０】
ＡＣアウトレット１１は、ＡＣ１００Ｖの外部出力接続端子である。端子台１２は、ＡＣ１００Ｖの電源中継用端子でもある。また、この端子台１２を経由して、スイッチング電源１４、ＡＣアウトレット１１および処理装置４の制御基板４ＢへＡＣ１００Ｖを供給する。フィルタ１３は、ＡＣ１００Ｖの電源フィルタである。
【０１１１】
スイッチング電源１４は、製品内部の各ＤＣ電源機器へのＤＣ電源（ＤＣ１２Ｖ）の供給を行う。端子台１５は、スイッチング電源１４からのＤＣ電源の中継用端子であり、処理装置４のＳＴＢ４Ａおよび制御基板４ＢにＤＣ電源を供給する。通信用のモジュラージャック１６はＳＴＢ４Ａのネットワーク通信ラインの外部接続用端子である。
【０１１２】
処理装置４において、ＳＴＢ４Ａと制御基板４Ｂとは、ＲＳ２３２Ｃケーブルによって接続されている。メモリ５２を構成するＨＤＤ５およびＵＳＢメモリ６はＳＴＢ４Ａに接続されている。また、ＬＣＤモニタ２には制御基板４Ｂを介してＡＣ１００Ｖが供給され、ＬＣＤモニタ２に対するループ再生や割り込み再生はＳＴＢ４Ａの制御によって行われる。
【０１１３】
また、赤外線反射センサＳ１〜Ｓ１２は、１つの赤外線センサユニット１７として、処理装置４の制御基板４Ｂに接続されている。また、処理装置４の制御基板４Ｂには、ＩＣタグ用のアンテナ７とで情報読出装置を構成するリードライト装置（ＲＦＩＤ Ｒ／Ｗ）８も接続されている。
【０１１４】
制御基板４Ｂは第１のＣＰＵ４−１（ＣＰＵ１）を搭載し、赤外線反射センサＳ１〜Ｓ１２の制御およびリードライト装置８との通信制御、ＳＴＢ４Ａにおける第２のＣＰＵ４−２（ＣＰＵ２）との通信制御、ＬＣＤモニタ２へのＡＣ電源制御を行う。赤外線反射センサＳ１〜Ｓ１２からの検知信号を得ることで、その検知信号を定められたデータ（識別情報＃Ｓ１〜＃Ｓ１２を示すデータ）に変換して、ＳＴＢ４Ａへのシリアル送信を行う。また、登録されたＩＣタグをアンテナ７で検出して得たデータを、定められたデータ（識別情報＃Ｔ１〜＃Ｔ１２を示すデータ）に変換して、ＳＴＢ４Ａへのシリアル送信を行う。また、ＳＴＢ４Ａのタイマ機能に準じて、ＬＣＤモニタ２のＡＣ電源のＯＮ／ＯＦＦ制御を行う。
【０１１５】
ＳＴＢ４Ａは、メインのプログラム処理チップＩＣとして第２のＣＰＵ４−２（ＣＰＵ２）を備えており、ＨＤＤ５やＵＳＢメモリ６に記録されている画像コンテンツを再生表示する。この例では、ＵＳＢメモリ６に上述した基本例２で説明したテーブルＴＢ１とＴＢ２が画像コンテンツＧＳ１〜ＧＳ１２と合わせて記憶されており、ＨＤＤ５にテーブルＴＢ３が画像コンテンツＧＲ１〜ＧＲ１２と合わせて記憶されているものとする。
【０１１６】
また、ＳＴＢ４Ａは、通信機能を持ち、ネットワーク経由の画像コンテンツ取り込みによるＨＤＤ５やＵＳＢメモリ６への登録、削除、スケジュール再生などの管理機能を有している。また、ブラウザ機能により、ＳＴＢ４Ａ毎にＩＰ番号が指定されており、ネットワーク経由でのサーバからの画像コンテンツの配信、管理サーバからの機能管理が可能とされている。また、ブラウザ上で作成されたメニュー画面によりファイルのコントロールを行うことも可能とされている。また、ＳＴＢ４Ａには、リモコン受信機が搭載されており、外部リモコンにより、ブラウザ機能経由でＨＤＤ５やＵＳＢメモリ６に登録されたファイル管理を行うことも可能とされている。
【０１１７】
以下、この画像コンテンツ表示端末１０５における主要な処理動作について、図８に実施例２として示した画像コンテンツ表示端末１０２の正面図を参照しながら説明する。
【０１１８】
〔タイマによる画像表示装置の電源制御〕
ＳＴＢ４Ａは、その時計機能により、ＬＣＤモニタ２への電源を制御基板４Ｂを介して制御する。この場合の制御例を以下に示す。
【０１１９】
〔電源制御例〕
(１)ＳＴＢ４Ａのメニュー或いはサーバによるネットワーク経由で、タイマスケジュール設定を行う。
(２)午前８時５５分にＬＣＤモニタ２への電源をＯＮとする。
ＳＴＢ４Ａは、内部時計が８時５５分になった時、ループ再生用の画像コンテンツを出力すると同時に、定められた制御メッセージを制御基板４Ｂに対して送信する。
制御基板４Ｂは、ＳＴＢ４Ａからの制御メッセージに従い、ＬＣＤモニタ２へのＡＣ電源入力のリレーをＯＮ制御する。
(３)午後１６時５分にＬＣＤモニタ２への電源をＯＦＦとする。
ＳＴＢ４Ａは、内部時計が１６時５分になった時、ループ再生用の画像コンテンツの出力を停止すると同時に、定められた制御メッセージを制御基板４Ｂに対して送信する。
制御基板４Ｂは、ＳＴＢ４Ａからの制御メッセージに従い、ＬＣＤモニタ２へのＡＣ電源入力のリレーをＯＦＦ制御する。
【０１２０】
このような電源制御機能を設けることにより、画像コンテンツ表示端末１０５の利用時間帯での自動的な画面表示（ループ再生）が可能となり、人の操作で画面表示の管理を行う必要がなくなる。
【０１２１】
〔割り込み再生：パンフレットをポケットから取り出した場合〕
ループ再生中、店舗への来客者や通行人が興味や関心を示し、スタンドラック１の例えばポケットＰ１（図８）からパンフレットＰＦ１を取り出したとする。すると、赤外線反射センサＳ１から検知信号が制御基板４Ｂへ送られる。
【０１２２】
制御基板４Ｂは、赤外線反射センサＳ１〜Ｓ１２の設置位置の番号と識別情報＃Ｓ１〜＃Ｓ１２との関係を示す割付表に従い、赤外線反射センサＳ１からの検知信号を識別情報＃Ｓ１を示すデータに変換し、ＳＴＢ４Ａへ送る。
【０１２３】
ＳＴＢ４Ａは、制御基板４Ｂから送られてくる識別情報＃Ｓ１を示すデータを受信し、ＵＳＢメモリ６に記憶されているテーブルＴＢ１を参照して識別情報＃Ｓ１に対応する画像コンテンツＧＳ１を読み出し、ＬＣＤモニタ２の画面に表示する。これにより、ループ再生が中断され、画像コンテンツＧＳ１が割り込み再生される。
【０１２４】
〔割り込み再生：パンフレットをアンテナに近づけた場合〕
この画像コンテンツ表示端末１０５において、ポケットＰ１からパンフレットＰＦ１を取り出したユーザは、その取り出したパンフレットＰＦ１に取り付けられているＩＣタグＴ１をＩＣタグ用のアンテナ７に近づけることによって、パンフレットＰＦ１に関わるさらに詳細な情報をＬＣＤモニタ２の画面に表示させることができる。
【０１２５】
パンフレットＰＦ１に取り付けられているＩＣタグＴ１をＩＣタグ用のアンテナ７に近づけ、ＩＣタグＴ１がＩＣタグ用のアンテナ７の受信範囲に入ると、ＩＣタグＴ１はＩＣタグ用のアンテナ７からの電磁波から生成される電力によって、その内部回路が起動する。ＩＣタグＴ１は、その内部回路の起動後、自己に書き込まれている識別情報＃Ｔ１を含む内部データを同調周波数の電磁波にのせてＩＣタグ用のアンテナ７に送信する。
【０１２６】
ＩＣタグ用のアンテナ７で受信されたＩＣタグＴ１からの電磁波信号はＩＣタグ用のリードライト装置８に送られる。ＩＣタグ用のリードライト装置８は、ＩＣタグ用のアンテナ７からの電磁波信号（高周波アナログ信号）を定められたフォーマットのデジタルデータに変換し、制御基板４Ｂへ送る。
【０１２７】
制御基板４Ｂは、リードライト装置８から送られてくるデジタルデータに含まれている識別情報＃Ｔ１を示すデータを抽出し、この抽出したデータに対して定められたフォーマットデータへの変換を行い、ＳＴＢ４Ａへ送る。
【０１２８】
ＳＴＢ４Ａは、制御基板４Ｂから送られてくる識別情報＃Ｔ１を示すデータを受信し、ＨＤＤ５に記憶されているテーブルＴＢ３を参照して識別情報＃Ｔ１に対応する画像コンテンツＧＲ１を読み出し、ＬＣＤモニタ２の画面に表示する。これにより、ループ再生が中断され、画像コンテンツＧＲ１が割り込み再生される。
【０１２９】
制御基板４Ｂは、割り込みメッセージデータのＳＴＢ４Ａへの送信を禁止する割込禁止機能を備えている。この割込禁止機能により、制御基板４Ｂは、赤外線反射センサおよびＩＣタグの何れか１つから信号が入力された場合、その入力信号に割り付けられた変換メッセージデータ（識別情報を示すデータ）をＳＴＢ４Ａへ割り込みメッセージデータとして送信した後、任意時間（例えば、５秒）の間は、他の赤外線反射センサおよびＩＣタグの信号が入力されても、その入力信号を無視し、割り込みメッセージデータのＳＴＢ４Ａへの送信を禁止する。
【０１３０】
この割込禁止機能により、ユーザに違和感を与えたり、誤動作を防止することが可能となる。すなわち、例えば５秒間以内の入力信号を有効とした場合、５秒以内の短い時間で画像コンテンツが切り替わって画面に表示されてしまう。このため、ユーザが落ち着いて画面を見ることができず、違和感を与えてしまう。例えば、１秒おきに画面が切り替わるということは、画面を見ていた場合、ユーザは安定表示されていないと判断する。
【０１３１】
これに対して、例えば任意時間として５秒間以内に入力される信号を無効とすると、５秒以内の短い時間で画像コンテンツが切り替わって画面に表示されるということがなくなるため、ユーザが落ち着いて画面を見ることができ、違和感が感じないものとなる。また、誤動作も防止することができる。
【０１３２】
なお、この入力信号を無効とする任意時間（無効時間）を設定すると、任意時間以内に複数のユーザがポケットを利用した場合、画像コンテンツが順番的に無視されるということが発生する。しかし、任意時間を例えば５秒とした場合、その５秒の間に複数のユーザがポケットを利用するということは稀と考えられ、さほど問題となることはない。
【０１３３】
ＳＴＢ４Ａは、上述した割り込み再生を行っている場合、任意時間（無効時間）以降に入力される制御基板４Ｂからの割り込みメッセージデータによって、新たな画像コンテンツの選択再生に移る。ＳＴＢ４Ａは、画像コンテンツの割り込み再生後、制御基板４Ｂからの割り込みメッセージデータがない場合、ループ再生へ戻る。ＳＴＢ４Ａは、割り込み再生後にループ再生へ戻る場合、ループ再生時の割り込みが発生した画像コンテンツの頭へ移り、順次ループ再生を開始する。
【０１３４】
この画像コンテンツ表示端末１０５の利用方法として２つの方法が考えられる。１つは単独利用であり、もう１つはインターネットなどのネットワークを使用したネットワークシステムとしての利用である。
【０１３５】
〔単独利用〕
(１)設置場所にネットワーク回線がない場合、単独で画像コンテンツ表示端末１０５を設置する。
(２)ＨＤＤ５やＵＳＢメモリ６の記録媒体へ記録された画像コンテンツは、係員が移動或いは記録媒体の配送により、記録媒体ごとの交換を行うことで運用管理を行う。
(３)記録媒体への登録画像コンテンツは、定められたフォーマットに従い、定期的に登録する。
(４)ＳＴＢ４Ａのソフト的な保守を行う場合、設置現場へ係員が移動して、修理動作確認を行う。
(５)パーソナルコンピュータ（パソコン）のアプリケーションを工夫することで、パソコンとＳＴＢ４Ａとを接続し、ＳＴＢ４Ａにおいて発生した割り込み信号に対するログ情報をパソコンに取り込み、ユーザのスタンド利用状況などを把握する。
(６)赤外線反射センサおよびＩＣタグのログ管理を行うことで、ポケットのパンフレット残数管理を行う。
(７)画像コンテンツの更新は、ＳＴＢ４Ａに接続されているＨＤＤ５やＵＳＢメモリ６の記録媒体自体を入れ替える、或いは記録媒体を取り外してパソコンを利用してデータの更新を行ってＳＴＢ４Ａへ取り付けることによって行う。
【０１３６】
〔ネットワークシステムとしての利用〕
図２１にネットワークシステムとしての利用例１を示す。この利用例１では、複数の画像コンテンツ表示端末１０５をインターネット２００に接続し、これら画像コンテンツ表示端末１０５をインターネット２００を経由して管理サーバ３００によって管理する。この場合、全てＩＰアドレスによるシステム接続構築となる。また、サーバ３００を中心としたネットワーク経由で、各画像コンテンツ表示端末１０５内のＳＴＢ４Ａとが通信接続されるものとなる。
【０１３７】
この利用例１において、インターネット２００に接続された各画像コンテンツ表示端末１０５は、サーバ３００より定期的な画像コンテンツの入れ替えを行うことが可能となり、サーバ３００よりの遠隔管理を行うことができる。或いは、ＳＴＢ４Ａのアプリケーションソフトによって、ＳＴＢ４Ａ側から定期的にサーバ３００へアクセスすることで、画像コンテンツの入れ替えを行うことができる。
【０１３８】
また、ＳＴＢ４Ａで発生した割り込み信号に対するログ情報をサーバ３００へ取り込み、ユーザの利用状況を把握することができる。また、赤外線反射センサおよびＩＣタグのログ管理を行うことで、ポケットのパンフレットの残数管理も可能である。さらに、ＳＴＢ４Ａの機能修正等の作業に関して、インターネット２００を経由してサーバ３００より保守管理を行うことができる。
【０１３９】
図２２にネットワークシステムとしての利用例２を示す。この利用例２では、複数の画像コンテンツ表示端末１０５をイーサネットでパソコン４００へ接続すると共に、イーサネット経由および単独でのインターネット回線への接続も可能としている。この利用例２でも、利用例１と同様の運用が可能である。また、他の利用例として、携帯電話モジュール等を利用した配信ネットワークに接続するものとし、無線によって上位のサーバから画像コンテンツの入れ替えなどを行うようにすることも考えられる。
【０１４０】
〔運用例１：旅行代理店〕
この画像コンテンツ表示端末１０５は旅行先の案内パンフレット用スタンドとして運用することができる。旅行代理店では、まだパンフレットのみのスタンドを置いている業者が多い。旅行代理店において、この画像コンテンツ表示端末１０５を利用することによって、例えば次のようなことを行うことができる。
【０１４１】
（１）画像と音声でＬＣＤモニタに表示が行われるので、ユーザに対してビジュアル的にアピールすることが可能となる。
（２）通常は、ループ再生で様々な旅行先、旅行先への移動ルート等の画像コンテンツをＬＣＤモニタで再生表示を行い、ポケットに入っているパンフレットをユーザが取り出した時、ユーザが取り出したパンフレットの画像コンテンツがＬＣＤモニタから選択再生される。
（３）宿泊先ホテル、観光地、地域情報などの画像コンテンツをパンフレットの印刷を見る行動から視覚的なメッセージをユーザへ与えることが可能となる。
（４）パンフレットにはＩＣタグを貼ることで、旅行案内として更に詳しい情報を画像コンテンツとして再生表示を行うことも可能となる。
（５）各ポケットのパンフレットの数量も通信システムによる赤外線反射センサおよびＩＣタグのログ管理を行うことで、パンフレットの補充作業も無駄なく行うことができる。
（６）ユーザへ画像と音声によるメッセージを与えることで、ユーザの取り込みを増やすことができる広告宣伝システムとして運用することができる。
【０１４２】
〔運用例２：カタログ製品販売業〕
（１）各ポケットに商品案内のカタログやパンフレットを配置する。
（２）通常は、ＬＣＤモニタに、ループ再生で製品案内の画像コンテンツを表示する。
（３）ユーザがカタログをポケットから取り出す時、製品案内の画像コンテンツのループ再生を中断し、カタログの製品の選択再生表示を開始する。
（４）製品の画像コンテンツを画像と音声で表現することで、ユーザへの製品メッセージを強調することが可能となり、製品販促の向上に役立つ運用ができる。
【０１４３】
〔その他の運用可能業種〕
（１）旅行観光案内（ＪＴＢ（登録商標）等）
地域、観光地、ホテル等の地域情報。
（２）保険会社
各保険の案内、保険の説明等の情報。
（３）銀行
銀行で扱っている商品案内、窓口業務など銀行案内情報。
（４）鉄道会社
行先、商品案内、駅等の案内情報。
（５）ホテル
地域、観光地、部屋情報、売店で扱う商品、ホテル周辺交通等の情報。
（６）デパート、スーパーマーケット
お店で扱う商品、商品の生産地、バーゲン等の情報。
（７）レストラン
各料理の説明、店内等の情報。
（８）映画、劇場
各映画、演劇、出演者等の情報。
（９）郵便局
カタログ販売、商品、局内案内等の情報。
（１０）携帯電話機販売
各電話機の機種商品内容、料金プラン、申し込み手順等の情報。
（１１）レンタルビデオ
最新ＤＶＤ、ＣＤ、ビデオ等の案内情報。
（１２）学校
授業、研究発表等の情報。
（１３）セミナー
授業、研究発表等の情報。
（１４）コンビエンスストア、百貨店、等の小売業。
お店で扱う商品、商品の生産地、バーゲン、売り場案内等の情報。
【０１４４】
上記のような各種情報に係る情報提供媒体を各ポケットに収容し、その情報提供媒体のポケットからの取り出しを赤外線反射センサやアンテナなどで検出することにより、またＩＣタグが取り付けられた情報提供媒体の近接を検出することにより、様々な業種において販促用，教育用，電子広告など種々の画像コンテンツの提供が可能となる。
【０１４５】
なお、前記した実施例２，３，４および５ではＲＦＩＤ規格によるＩＣタグを用いたが、フェリカ（登録商標）などを用いるようにしてもよい。フェリカの使用周波数帯域は、１３．５６ＭＨｚであり、ＲＦＩＤ規格とは異なるが、フェリカを利用することで、課金、或いはポイント制等の機能と組み合わせたシステム構築が可能である。本発明でいう無線タグには、ＲＦＩＤ規格によるＩＣタグだけではなく、フェリカのような非接触型のＩＣカードもその範疇に含まれるものである。
【０１４６】
また、前記した実施例１，２および５では、ポケットからパンフレットやカタログなどの情報提供媒体の取り出しを非接触で検出するセンサとして赤外線反射センサを使用したが、ポケットからの情報提供媒体の取り出しを機械的な接点のオン／オフで検出する接触型のセンサを使用するようにしてもよい。また、情報提供媒体の取り出しを非接触で検出するセンサは、赤外線反射センサに限られるものではない。また、必ずしも反射光タイプでなくてもよく、透過光タイプとしてもよい。
【０１４７】
また、前記した実施例１〜５において、中長距離赤外線センサを利用することで、ユーザの近づく動きを検出し、ＬＣＤモニタの画面に各種の画像コンテンツの表示を行うようにしてもよい。
【０１４８】
また、前記した実施例１〜５では、通常の処理としてループ再生を行うものとしたが、必ずしもループ再生を行わなくてもよい。すなわち、ポケットから情報提供媒体が取り出された時だけ、その情報提供媒体に関わる画像コンテンツを表示するようにしてもよい。
【０１４９】
また、前記した実施例１〜５では、情報提供媒体の一例としてパンフレットやカタログを用いた場合について説明したが、上述した運用可能業種の例示からも分かるように、情報提供媒体としてはＣＤ−ＲＯＭやＤＶＤなどもその一例として挙げられるものである。また、学校やセミナー等で教育用としても運用することも可能であり、教科書や参考書などの情報提供媒体としてもよく、画面に表示する画像コンテンツは広告に限られるものではない。以下、本発明を小売業に適用した実施例を説明する。
【実施例６】
【０１５０】
図２３は、本発明の画像表示端末をスーパーマーケットやデパートの商品棚（ラック）適用した要部斜視図である。この画像コンテンツ表示端末では、商品棚（ラック）に赤外線反射センサと制御ボックスおよびＬＣＤモニタを分離設置したものである。この画像コンテンツ表示端末１０６では、スーパーマーケットやデパートの商品棚１８が前記した各実施例におけるスタンドラックに相当する。この商品スペース（以下、単にスペース）にスペースに対して、赤外線反射センサを選択的に取り付けている。また、商品棚１８の所望の位置に、制御ボックスおよびＬＣＤモニタを取り付けている。
【０１５１】
この実施例６では、商品棚１８の一部として、最上段の棚１８−１と２段目の棚１８−２を示している。棚１８−１および１８−２には、お菓子等の商品１９が置かれる。すなわち、棚１８−１のスペースＳＰ１1〜ＳＰ１ｎ、棚１８−２のスペースＳＰ２1〜ＳＰ２ｎに対し、色々な種類の商品１９が置かれる。商品１９が前記した実施例１〜５における情報提供媒体に相当する。
【０１５２】
この商品１９が置かれる棚１８−１のスペースＳＰ１1〜ＳＰ１ｎに対して、その赤外光の照射方向を上向きとして、赤外線反射センサＳ１1〜Ｓ１ｎが取り付けられている。また、商品１９が置かれる棚１８−２のスペースＳＰ２1〜ＳＰ２ｎに対して、その赤外光の照射方向を下向きとして、赤外線反射センサＳ２1〜Ｓ２ｎが取り付けられている。この場合、商品棚１８には、最初から赤外線反射センサが取り付けられているのではなく、商品１９が置かれるスペースに合わせ、その赤外光の照射方向や位置を調整して、棚の上部や下部に赤外線反射センサを取り付ける。
【０１５３】
また、商品棚１８には、利用者が見易い位置に、小型のＬＣＤモニタ２０を画像表示装置として取り付けている。ＬＣＤモニタ２０は、図２４に示すように、制御ボックス２１と一体とされている。この制御ボックス２１と一体とされたＬＣＤモニタ２０も、赤外線反射センサと同様、最初から商品棚１８に取り付けられているのではなく、その設置位置を選んで、後から商品棚１８に取り付ける。
【０１５４】
この画像コンテンツ表示端末１０６においても、上述した前記実施例１と同様にして、利用者が本発明の情報提供媒体である商品１９を取る行為や商品１９の動きで、ＬＣＤモニタ２０の画面にその商品１９に関わる画像コンテンツが表示される。
【０１５５】
なお、この画像コンテンツ表示端末１０６では、ＬＣＤモニタ２０と制御ボックス２１とを一体としたが、ＬＣＤモニタ２０と制御ボックス２１とを分離し、離れた位置に設けるようにしてもよい。
【０１５６】
また、この画像コンテンツ表示端末１０６においても、前記実施例２と同様にして、ＩＣタグ用のアンテナを設けた構成としてもよい。また、前記実施例３と同様にして、赤外線反射センサを省略し、ＩＣタグ用のアンテナを設けるのみの構成としてもよい。また、前記実施例４と同様にして、赤外線反射センサを省略し、ＩＣタグ用のアンテナを各スペースに対して設置する構成としてもよい。なお、ＩＣタグ用のアンテナを設ける場合には、商品１９にＩＣタグを取り付けるようにすることは言うまでもない。
【０１５７】
実施例６によれば、顧客は、購入しようとする商品の生産者、品質、原材料、添加物、賞味期限、その他品質に関わる情報を容易に入手でき、安心してその商品の購入をすることができる。
【図面の簡単な説明】
【０１５８】
【図１】本発明にかかる画像コンテンツ表示端末の実施例１の外観を示す図（正面図、側面図、背面図）である。
【図２Ａ】この画像コンテンツ表示端末の実施例１の制御回路を示すブロック図である。
【図２Ｂ】図２Ａにおける処理装置のＣＰＵ１の構成例を説明する機能ブロック図である。
【図２Ｃ】図２Ａにおける処理装置のＣＰＵ２の構成例を説明する機能ブロック図である。
【図３】本発明に係る画像コンテンツ表示端末の実施例１におけるセンサの設置位置の番号を示す識別情報と画像コンテンツとの対応関係を示すテーブルＴＢ１を示す図である。
【図４】本発明に係る画像コンテンツ表示端末の実施例１におけるループ再生を行う画像コンテンツとその再生順序との対応関係を示すテーブルＴＢ２を示す図である。
【図５】本発明に係る画像コンテンツ表示端末の実施例１のスタンドラックのポケットにパンフレットを収容した状態を示す正面図である。
【図６】この画像コンテンツ表示端末において通常の処理動作として行われるループ再生およびループ再生からの割り込み再生を説明する図である。
【図７Ａ】本発明に係る画像コンテンツ表示端末の実施例１におけるポケットからのパンフレットの取り出し時に赤外線センサの配置例を説明する図である。
【図７Ｂ】図７Ａに示した赤外線センサの検出波形例を説明する図である。
【図８】本発明に係る画像コンテンツ表示端末の実施例２を示す正面図である。
【図９Ａ】本発明に係る画像コンテンツ表示端末の実施例２の制御回路の構成を説明する機能ブロック図である。
【図９Ｂ】図９Ａにおける処理装置のＣＰＵ１の構成例を説明する機能ブロック図である。
【図９Ｃ】図９Ａにおける処理装置のＣＰＵ２の構成例を説明する機能ブロック図である。
【図１０】本発明に係る画像コンテンツ表示端末におけるＩＣタグへ書き込む識別情報と画像コンテンツとの対応関係を示すテーブルＴＢ３を示す図である。
【図１１】本発明に係る画像コンテンツ表示端末におけるループ再生を行う画像コンテンツとその再生順序との対応関係を示すテーブルＴＢ４を示す図である。
【図１２】本発明に係る画像コンテンツ表示端末において通常の処理動作として行われるループ再生およびループ再生からの割り込み再生（パンフレット取り出し時の割り込み再生）を説明する図である。
【図１３】ポケットから取り出したパンフレットに取り付けられているＩＣタグをＩＣタグ用のアンテナに近づけた状態を示す図である。
【図１４】本発明に係る画像コンテンツ表示端末におけるループ再生からの割り込み再生（アンテナへのパンフレット（ＩＣタグ）の近接時の割り込み再生）を説明する図である。
【図１５】本発明に係る画像コンテンツ表示端末の実施例３の正面図である。
【図１６】本発明に係る画像コンテンツ表示端末におけるループ再生を行う画像コンテンツとその再生順序との対応関係を示すテーブルＴＢ５を示す図である。
【図１７】本発明に係る画像コンテンツ表示端末の制御回路を説明する機能ブロック図である。
【図１８】本発明に係る画像コンテンツ表示端末の実施例４の正面図である。
【図１９】この画像コンテンツ表示端末の実施例４の制御回路を説明する機能ブロック図である。
【図２０】本発明に係る画像コンテンツ表示端末の具体的な構成例（実施の形態５）における装置構成の概略を示すブロック図である。
【図２１】この画像コンテンツ表示端末のネットワークシステムとしての利用例１を示す図である。
【図２２】この画像コンテンツ表示端末のネットワークシステムとしての利用例２を示す図である。
【図２３】本発明に係る画像コンテンツ表示端末の実施の形態６（変形例）の要部を示す斜視図である。
【図２４】本発明に係る画像コンテンツ表示端末の商品棚に取り付ける制御ボックスと一体とされたＬＣＤモニタを示す斜視図である。
【符号の説明】
【０１５９】
１…スタンドラック、２…画像表示装置（ＬＣＤモニタ）、３…制御ボックス、４…処理装置、４−１，４−２…ＣＰＵ、５…ハードディスク装置（ＨＤＤ）、６…ＵＳＢメモリ、７，７−１〜７−１２…アンテナ、８…リードライト装置（ＲＦＩＤ  Ｒ／Ｗ）、ＴＢ１〜ＴＢ５…テーブル、Ｐ１〜Ｐ１２…ポケット、Ｓ１〜Ｓ１２…赤外線反射センサ、Ｔ１〜Ｔ１２…ＩＣタグ、ＰＦ１〜ＰＦ１２…パンフレット、ＡＮＴ１，ＡＮＴ２…パターンアンテナ、１０１〜１０６…画像コンテンツ表示端末、４Ａ…ＳＴＢ、４Ｂ…制御基板、９…ＡＣインレット、１０…ブレーカ、１１…ＡＣアウトレット、１２…端子台、１３…フィルタ、１４…スイッチング電源、１５…端子台、１６…モジュラージャック、１７…赤外線センサユニット、１８…商品棚（ラック）、１８−１，１８−２…棚、１９…商品、ＳＰ１1〜ＳＰ１ｎ，ＳＰ２1〜ＳＰ２ｎ…スペース、Ｓ１1〜Ｓ１ｎ，Ｓ２1〜Ｓ２ｎ…赤外線反射センサ、Ｗ１…赤外線発光部、Ｗ２…赤外線受光部、２０…ＬＣＤモニタ、２１…制御ボックス、４３…ＲＡＭ、４５…ＵＳＢ  Ｉ／Ｆ、４６…ＨＤＤ  Ｉ／Ｆ、４７…モニタＩ／Ｆ、４８…通信Ｉ／Ｆ、４９…センサＩ／Ｆ、５０…ＲＡＭ、５１…通信Ｉ／Ｆ、５２…メモリ、２００…インターネット、３００…管理サーバ、４００…パソコン、４１１，４２２…ＲＯＭ、４１２，４２１…演算部、４２１…演算部。
【図１】
2010002883.tif 000003
【図２Ａ】
2010002883.tif 000004
【図２Ｂ】
2010002883.tif 000005
【図２Ｃ】
2010002883.tif 000006
【図３】
2010002883.tif 000007
【図４】
2010002883.tif 000008
【図５】
2010002883.tif 000009
【図６】
2010002883.tif 000010
【図７Ａ】
2010002883.tif 000011
【図７Ｂ】
2010002883.tif 000012
【図８】
2010002883.tif 000013
【図９Ａ】
2010002883.tif 000014
【図９Ｂ】
2010002883.tif 000015
【図９Ｃ】
2010002883.tif 000016
【図１０】
2010002883.tif 000017
【図１１】
2010002883.tif 000018
【図１２】
2010002883.tif 000019
【図１３】
2010002883.tif 000020
【図１４】
2010002883.tif 000021
【図１５】
2010002883.tif 000022
【図１６】
2010002883.tif 000023
【図１７】
2010002883.tif 000024
【図１８】
2010002883.tif 000025
【図１９】
2010002883.tif 000026
【図２０】
2010002883.tif 000027
【図２１】
2010002883.tif 000028
【図２２】
2010002883.tif 000029
【図２３】
2010002883.tif 000030
【図２４】
2010002883.tif 000031